(57)【特許請求の範囲】
【請求項１】
上部に物が乗せられ、支柱部に取り付けられるための取り付け手段を有するトレイ部と、そのトレイ部が取り付けられるための被取り付け手段を有する支柱部と、床に設置され、前記支柱部を支える台座部とからなる画像形成装置用棚において、台座部の高さが床から画像形成装置底面までの高さよりも低く構成され、画像形成装置の複数の位置に取り付け可能であって、画像形成装置と画像形成装置用棚とを固定させる固定部材を備え、画像形成装置の複数の位置に画像形成装置用棚を固定させることが可能であることを特徴とする画像形成装置用棚。
【請求項２】
上記支柱部は複数の位置にそれぞれ被取り付け手段を有し、上記トレイ部が支柱部のその複数の位置のうち、任意の位置に取り付け可能であることを特徴とする請求項１に記載の画像形成装置用棚。
【請求項３】
上記支柱部の同一高さの位置に複数の被取り付け手段を有し、上記トレイ部が同一高さの複数の位置のうち、任意の位置に取り付け可能であることを特徴とする請求項２に記載の画像形成装置用棚。
【請求項４】
上記支柱部の内部にコードを通すことが可能な中空が形成され、その支柱部にはコードの出し入れを行う複数の配線穴が形成されていることを特徴とする請求項１〜３に記載の画像形成装置用棚。
【発明の詳細な説明】
【０００１】
【発明の属する技術分野】
本発明は画像形成装置の周辺に設置させる棚の構造に関し、より詳しくは、その画像形成装置の使用を妨げないような画像形成装置用棚の構造を有する棚に関する。
【０００２】
【従来の技術】
従来からプリンタや複写機等の画像形成装置ではその装置の小型化、省スペース化の努力がなされてきた。その結果、画像形成装置自体に収納スペースを設けることはそれほど行われていない。
【０００３】
しかし、実際に画像形成装置を使用する際には、コピーを行う原稿、コピー用紙を切り貼りするためのハサミや糊、コピー用紙に書き込みを入れるためのマーカー、コピー用紙を綴じるためのステイプラー等の文房具を同時に使用する場合も多く、これらの文房具などの置き場所を確保する必要があった。
【０００４】
また、画像形成装置には、プリペイドカードや現金を投入することによって複写を可能にするコピーディスペンサー、コピーカードを使用してコピー枚数の管理を行うコピー管理装置、紙詰まり等の画像形成装置の異常をアラーム音や光によって知らせる状態表示装置等を画像形成装置のオプション製品として画像形成装置の周囲に設置する場合があるが、これらの設置場所を確保する必要もあった。
【０００５】
これらの問題に関して、従来から、例えば画像形成装置のプラテンカバーの上面にコピー原稿等を収納するスペースを設けたものが存在する。しかし、開閉を繰り返すプラテンカバーに重量物や転がりやすいマーカー等の文房具を収納するのは妥当ではない。また、プラテンカバーと一体的に自動原稿送り装置を有する画像形成装置では、プラテンカバーに収納スペースを設けるのは困難である。
【０００６】
また、汎用の机や棚をコピー原稿、文房具、オプション製品等の収納場所として使用することも可能ではあるが、その机や棚自体が場所を取るばかりか、左右にソーターや開閉する手差しトレイ等を有する画像形成装置とは画像形成装置の作業性を損なうことなく隣接して設置することは困難である。したがって、汎用の机や棚等は画像形成装置とある程度の距離をおいて設置することとなり、結局、全体としては多くのスペースが必要となってしまう。
【０００７】
【発明が解決しようとする課題】
このように、画像形成装置単体としては非常にスペース効率に優れる場合であっても、その周辺の必要となる収納スペースまで考慮すると、全体としては必ずしもスペース効率良くない場合も存在する。
【０００８】
本発明は上記問題点に鑑みてなされたものであり、その目的とするところは、画像形成装置の作業性を損なわずに、設置場所の自由度が高く、画像形成装置に隣接させて設置させることによって、全体のスペース効率を向上させることができる画像形成装置用棚を提供することにある。
【０００９】
【課題を解決するための手段】
上記課題を解決するために、本発明においては、上部に物が乗せられ、支柱部に取り付けられるための取り付け手段を有するトレイ部と、そのトレイ部が取り付けられるための被取り付け手段を有する支柱部と、床に設置され、前記支柱部を支える台座部とからなる画像形成装置用棚において、台座部の高さが床から画像形成装置底面までの高さよりも低く構成され、画像形成装置の複数の位置に取り付け可能であって、画像形成装置と画像形成装置用棚とを固定させる固定部材を備え、画像形成装置の複数の位置に画像形成装置用棚を固定させることが可能であるものである。
【００１０】
まず、台座部の高さが床から画像形成装置底面までの高さよりも低く構成することによって、比較的多くのスペースを必要とする台座部の一部を画像形成装置の下に配設することができ、画像形成装置用棚の台座部が新たに必要とする床面積を少なくするとができる。同時に、画像形成装置用棚と画像形成装置とを隣接して設置することも可能となる。また、固定部材が画像形成装置の複数の位置に取り付け可能であるため、使用者が画像形成装置を使用する際に、その作業性を損なわない場所に画像形成装置用棚を選択的に設置することが可能となる。
【００１１】
結果として、画像形成装置用棚をこのように構成したことによって、画像形成装置の作業性を損なわずに、設置場所の自由度が高く、画像形成装置に隣接させて設置させることによって、全体のスペース効率を向上させることができるものである。
【００１２】
【発明の実施による形態】
次に、実施例に基づいて、本発明の好適な実施の形態を説明する。
本実施例にかかる画像形成装置用棚の構成は、上部に物が乗せられ、支柱部２に取り付けられるための取り付け手段を有するトレイ部１と、そのトレイ部１が取り付けられるための被取り付け手段を有する支柱部２と、床に設置され、前記支柱部２を支える台座部３とからなる画像形成装置用棚において、台座部３の高さが床から画像形成装置底面までの高さよりも低く構成され、画像形成装置５の複数の位置に取り付け可能であって、画像形成装置５と画像形成装置用棚とを固定させる固定部材４を備え、支柱部２は複数の高さの位置にそれぞれ複数の被取り付け手段を有し、支柱部２の内部にコードを通すことが可能な中空が形成され、その支柱部２にはコードの出し入れを行う複数の配線穴が形成されているものである。
【００１３】
図１（ａ）（ｂ）は、本実施例にかかる画像形成装置用棚の全体構成を示したものである。図１（ａ）は、画像形成装置５の使用者が画像形成装置５に向かって右側に本実施例にかかる画像形成装置用棚を設置した状態を示している（以下、この状態を「右側設置」という）。また、図１（ｂ）は、同様に画像形成装置５に向かって左側に画像形成装置用棚を設置した状態を示している（以下、この状態を「左側設置」という）。右側設置、左側設置の何れにおいても、本実施例にかかる画像形成装置用棚のトレイ部１、支柱部２、台座部３はプラテンカバー５１の開閉、手差しトレイ５２の開閉等の妨げにならないように構成されている。
【００１４】
以下、この画像形成装置用棚の構成について説明する。
【００１５】
図２は、本実施例にかかる画像形成装置用棚のトレイ部１を示したものである。トレイ部１は、その上部に物を乗せるものであるため、上部に乗せる物の大きさや重さ等に応じて、そのトレイの大きさや強度を規定すればよい。また、トレイ部１は、支柱部２に取り付けるための取り付け手段を有するものである。本実施例では、各トレイ部１の後方の中央に取り付け部材を設け、図２に示すように二つの取り付け穴１１、１２を設けている。この二つの取り付け穴１１、１２が後述する支柱部２が有する被取り付け穴に重ねられ、取り付けネジによって固定されることによって、トレイ部１が支柱部２にとが取り付けられる。なお、取り付けの手段はこれに限定されず、トレイ部１がフック状の形状を有し、支柱部２がそれに係合する係合穴を有し、フック状の形状と係合穴とが係合することによって取り付けるもの等でもよい。
【００１６】
図３は、本実施例にかかる画像形成装置用棚の支柱部２と台座部３とを示したものである。
【００１７】
支柱部２は、上部に物を乗せたトレイ部１を支えるものであるため、それに足る強度が必要である。本実施例では、この支柱部２は水平断面が図４（ａ）に示すような四角形の中空角鋼によって構成されているが、必要な強度が保てるのであれば、図４（ｂ）に示すような水平断面がＣ字状、あるいはコの字状の形状のものでもよい。図４（ｂ）のような形状とすると、後述するコードの引回し等が一層容易になるという効果を有する。
【００１８】
この支柱部２は、図１に示すように本実施例にかかる画像形成装置用棚を設置して、使用者の正面を向く面（以下、「Ｆ面」という）、そのＦ面２Ｆに相対する面（以下、「Ｂ面」という）、使用者の右側の面（以下、「Ｒ面」という）、Ｒ面２Ｒに相対する面（以下、「Ｌ面」という）、支柱部２の上部の面（以下、「Ｕ面２Ｕ」という）、Ｕ面２Ｕに相対する面の合計６面を有していることになる。
【００１９】
この支柱部２のＲ面２ＲとＬ面２Ｌとには、トレイ部１が取り付けられるための被取り付け手段としてそれぞれの面に被取り付け穴２１ａ〜ｊ、２２ａ〜ｊが設けられている。これらＲ面２ＲとＬ面２Ｌに設けられる、対応する被取り付け穴同士（例えば、２１ａと２２ａ、２１ｂと２２ｂ等）は床面から同じ高さに設けられている。また、同じように支柱部２のＲ面２ＲとＬ面２Ｌとには、コードの出し入れを行うための配線穴２３ａ〜ｃ（図示）、２４ａ〜ｃ（図示せず）が設けられている。
【００２０】
Ｆ面２Ｆにもやや大きめの配線穴２５が形成されている。なお、これらの配線穴２３、２４、２５の位置は、トレイ部１に乗せられたオプション製品の設置場所によって好ましいい位置を決めればよい。
【００２１】
Ｒ面２Ｒには、後述する固定部材４のためのネジ穴２６ａ〜ｄ、２７ａ〜ｄが形成されている。
【００２２】
Ｕ面２Ｕには、図５（ａ）のように鋼材の切り口で使用者が怪我などをしないように樹脂製のカバー２８で蓋をするようになっている。また、図５（ｂ）のようにこのＵ面２Ｕにファクシミリ受信や故障などの画像形成装置５の状態を使用者に知らせるための状態表示装置６を取り付けるようにしてもよい。このような比較的高い位置に状態表示装置６を取り付けることによって、その装置が使用者から認識されやすくなるという効果を有する。なお、この状態表示装置６と画像形成装置５とを結ぶコード６１は、中空の鋼材の内部を通すことができ、画像形成装置５の使用の邪魔になったり、外観を損うことがない。
【００２３】
台座部３は、上部に物が置かれたトレイ部１と、それを支える支柱部２とを倒れないように支えるものであるため、上部で倒れにくいことが必要である。本実施例では、図３に示すように、コの字状の部材に小型のキャスターを取り付けて台座部３を構成している。このような小型のキャスターを取り付けることで、画像形成装置用棚の搬入、移動を容易に行うことができる。また、床と台座部３とをすべりにくくするために、小型のキャスターの代わりに弾性体を取り付けてもよい。また、床から台座部３上面まで高さｌは、その周辺に設置する画像形成装置５の床から底面までの高さＬよりも低いことが必要である。これは、画像形成装置用棚の安定性を考慮すると台座部３の大きさは自ずと大きなものとなってしまうが、その場合台座部３の高さが高いと画像形成装置５と干渉して、その画像形成装置５の周辺に画像形成装置用棚を設置することができなくなるためである。
【００２４】
固定部材４は、画像形成装置５と画像形成装置用棚とを固定するものであり、さらに、画像形成装置５の複数の位置に取り付け可能なものである。図６は、画像形成装置用棚を図１（ａ）のように右側設置する場合に必要となる固定部材４の一例を示している。本実施例においては、画像形成装置５の上部と下部の二箇所を固定部材４で固定するととし、またそれぞれ異なる固定部材４を用いることとしている。図６（ａ）に示す固定部材４Ｕは、画像形成装置５の上部と画像形成装置用棚とを固定するものである。図６（ｂ）に示す固定部材４Ｌは、画像形成装置５の下部と画像形成装置用棚とを固定するものである。
【００２５】
固定部材４Ｕは、画像形成装置用棚の支柱部２とネジ止めによって固定されるためのネジ穴４１ａ、ｂと画像形成装置５の上部とネジ止めによって固定されるためのネジ穴４２ａ、ｂとを有している。すなわち、固定部材４Ｕのネジ穴４１ａ、ｂはそれぞれ支柱部２のネジ穴２７ａ、ｂと重ねられ、ネジ止めされることによって固定される。なお、図６（ａ）に示す固定部材４Ｕについては、その形状の対称性から右側設置（図１（ａ）参照）だけでなく、左側設置（図１（ｂ）参照）の場合にも使用することができ、その際は固定部材４Ｕのネジ穴４１ａ、ｂはそれぞれ支柱部２のネジ穴２６ｂ、ａと重ねられ、ネジ止めされる。また、固定部材４Ｕのネジ穴４２ａ、ｂは画像形成装置５の背面カバーのネジ穴と重ねられ、ネジ止めされることによって固定されるものであるため、その画像形成装置５の背面カバーのネジ間隔、ネジ径に合わせて形成されるものである。このように画像形成装置５の背面カバーのネジ穴を利用することによって、新たなネジ穴等を画像形成装置５に設ける必要がなく、経済的に有利となる。
【００２６】
固定部材４Ｌは、画像形成装置用棚の支柱部２とネジ止めによって固定されるためのネジ穴４３ａ、ｂと画像形成装置５の下部とネジ止めによって固定されるためのネジ穴４４ａ、ｂとを有している。すなわち、固定部材４Ｌのネジ穴４３ａ、ｂはそれぞれ支柱部２のネジ穴２７ｃ、ｄと重ねられ、ネジ止めされることによって固定される。なお、図６（ｂ）に示す固定部材４Ｌについては、その形状の非対称性から右側設置（図１（ａ）参照）のみに用いられるもので、左側設置（図１（ｂ）参照）の場合には使用することができない。これは固定部材４Ｌにはみ出し部分４６を設けることによって画像形成装置用棚の支柱部２のみならず、台座部３の固定にも資するように構成したためである。また、固定部材４Ｕと同様に固定部材４Ｌのネジ穴４２ａ、ｂは画像形成装置５の背面カバーのネジ穴と重ねられ、ネジ止めされることによって固定されるものである。
【００２７】
また、固定部材４Ｌの形状を上下で対称の形状等に構成するれば、右側設置、左側設置の場合でも固定部材４を兼用にすることができるため、部品の数が少なくてすみ、経済的に有利となる。なお、強度を確保するために、固定部材４Ｕ、Ｌはそれぞれ図６（ａ）（ｂ）に点線で示したようなリブ部４５を有するものであってもよい。
【００２８】
以下、本実施例にかかる画像形成装置用棚の使用について説明する。
【００２９】
図７（ａ）は、図１（ａ）のように右側設置した場合の画像形成装置５と画像形成装置用棚をそれらの背面から示したものである。本実施例にかかる画像形成装置用棚は画像形成装置５の右側にほぼ接するように設置される。この際、床から台座部３上面までの高さｌが床から画像形成装置５の底面までの高さＬよりも低いため、台座部３が画像形成装置５の底面と床面との隙間に入り込み、画像形成装置５に接するように設置することが可能となる。また、台座部３には小型のキャスターを設けているので、この搬入の際にも容易に設置することができる。
【００３０】
また、固定部材４Ｕのネジ穴４２ａ、ｂは画像形成装置５がもともと有している背面カバー取り付け用のネジ穴を同じ間隔、同じネジ径で形成されているため、画像形成装置５に新たなネジ穴を開ける必要がなく、便利であるとともに、画像形成装置５を傷つけることがない。なお、固定部材４Ｕと画像形成装置用棚とは固定部材４に設けられたネジ穴４１ａ、ｂと画像形成装置用棚の支柱部２に設けられたネジ穴２７ａ、ｂとが重ねられ、ネジ止めされることによって固定されている。
【００３１】
固定部材４Ｌのネジ穴４４ａ、ｂも画像形成装置５がもともと有している背面カバー取り付け用のネジ穴を同じ間隔、同じネジ径で形成されている。また、固定部材４Ｌの下部のはみ出し部分４６は図７（ａ）では確認できないが、台座部３の正面側に存在し、台座部３のぐらつき等を防止する役目を果たしている。
【００３２】
図７（ｂ）は、図１（ｂ）のように左側設置した場合の画像形成装置５と画像形成装置用棚をそれらの背面から示したものである。画像形成装置５の上部を固定しているのは、右側設置の際にも使用する固定部材４Ｕである。すなわち、この場合には、右側設置の際から上下を反転し、固定部材４Ｕのネジ穴４１ａ、ｂは画像形成装置用棚の支柱部２に設けられたネジ穴２６ｂ、ａに重ねられ、ネジ止めされることによって固定される。このように、同一の固定部材４Ｕを右側設置でも、左側設置でも用いいることによって部品数の軽減を図ることができ、経済的に有利となる。なお、画像形成装置５の下部を固定する固定部材４Ｌ’は、右側設置の際に使用する固定部材４Ｌの左右対称な部材である。
【００３３】
トレイ部１の垂直方向の取り付け位置の調節について説明する。本実施例では、各トレイ部１が有する二つの取り付け穴１１、１２と同じ間隔を有する任意の二つの被取り付け穴とを重ね、それぞれをネジ止めするとによってトレイ部１と支柱部２とを取り付けるものである。本実施例では、図３において示したように支柱部２のＲ面２Ｒに２１ａ〜ｊの被取り付け穴を有し、図には示していないが支柱部２のＬ面２Ｌに２２ａ〜ｊの被取り付け穴を有している。ここで、２１ａ〜ｄのように４つの被取り付け穴が取り付け穴１１、１２の間隔と等間隔で設けられている部分については、取り付け穴１１、１２と重ねられる被取り付け穴の組合せは、２１ａ−２１ｂ、２１ｂ−２１ｃ、２１ｃ−２１ｄの３通りの組合せが存在する。したがって、２１ａ〜ｄの４つの被取り付け穴で３段階のトレイ部１の高さ調節が可能となる。このように、トレイ部１を取り付ける位置を変更することで、画像形成装置５の使用の妨げとならず、使用者の好み等に合わせてトレイ部１の高さを容易に調節することができる。
【００３４】
また、トレイ部１設置位置は垂直方向のみならず水平方向にも調節することができる。図８はトレイ部１設置位置の水平方向の調節を説明するものである。図８（ａ）は、支柱のＲ面２Ｒが有する被取り付け穴２１とトレイ部１が有する取り付け穴１１（１２）とを重ねてネジによってネジ止めする様子をしめしている。このようにトレイ部１を支柱部２に取り付けるとトレイ部１は支柱部２のＲ面２Ｒ側に寄って取り付けられることとなる。反対に、図８（ｂ）のように支柱のＬ面２Ｌが有する被取り付け穴２２とトレイ部１が有する取り付け穴１１（１２）とを重ねてネジによってネジ止めするとトレイ部１は支柱部２のＬ面２Ｌ側によって取り付けられることになる。したがって、画像形成装置用棚を右側設置する場合には、トレイ部１を支柱部２のＲ面２Ｒ側に寄せ、左側設置する場合には、トレイ部１を支柱部２のＬ面２Ｌ側に寄せることによって、比較的低い位置にトレイ部１を取り付ける場合であっても、画像形成装置５の使用の際に、トレイ部１がプラテンカバー５１の開閉の妨げにならない。
【００３５】
図９は、配線穴の使用について説明するものである。支柱部２に取り付けられたトレイ部１の上には画像形成装置５のオプション製品を乗せることもできる。例えば、図９に示すようにカード式のコピーディスペンサー７を乗せることもできる。このコピーディスペンサー７は、画像形成装置５のコピー枚数を知らせり情報や、電源を画像形成装置５の本体から送信、供給されているため、コピーディスペンサーと画像形成装置５とはコード７１を介して結ばれている。このコード７１は配線穴２３から支柱部２の内部の中空部を通り、配線穴２５から出ており、画像形成装置５へ繋がれる。
【００３６】
このようにコードを支柱部２の内部の中空部を介して取り回すことができるため、余剰なコードがトレイ部１や支柱部２などにからみつくことがなく、画像形成装置５のプラテンカバー５１の開閉の妨げ等にもならず、画像形成装置用棚を画像形成装置５に接して設置する場合の妨げにもならない。また外観においても見苦しくない。なお、この配線穴はトレイ部１に乗せられるオプション製品等に近いものを使用することができ、例えば、図９の例では、配線穴２３ａや、支柱部２のＬ面２Ｌに設けられている図示しない配線穴２４ａ、ｂからコード７１を通すこともできる。
【００３７】
【発明の効果】
以上、説明したように、請求項１に記載の発明によれば、台座部の高さが床から画像形成装置底面までの高さよりも低く構成することによって、比較的多くのスペースを必要とする台座部の一部を画像形成装置の下に配設することができ、画像形成装置用棚の台座部が新たに必要とする床面積を少なくするとができる。同時に、画像形成装置用棚と画像形成装置とを隣接して設置することも可能となる。また、固定部材が画像形成装置の複数の位置に取り付け可能であるため、使用者が画像形成装置を使用する際に、その作業性を損なわない場所に画像形成装置用棚を選択的に設置することが可能となる。結果として、画像形成装置の作業性を損なわずに、設置場所の自由度が高く、画像形成装置に隣接させて設置させることによって、全体のスペース効率を向上させることができる。
【００３８】
また、請求項２に記載の発明によれば、支柱部の複数の位置に被取り付け手段を有するものであるため、トレイ部をその何れかと取り付けることができ、画像形成装置の作業性を損なうことなく、トレイ部に乗せるものに応じて、また、使用者の好みに応じてトレイ部の位置を自由に選択することができるものである。
【００３９】
また、請求項３に記載の発明によれば、支柱部の同一高さの位置に複数の被取り付け手段を有するものであるため、トレイ部の取り付け位置の高さを変えずに、水平方向にトレイ部の取り付け位置を変更することが可能となり、画像形成装置用棚を画像形成装置に隣接させて設置した場合にあっても、画像形成装置の付ラテンカバーの開閉等の妨げにならずに、しかも比較的低い位置にトレイ部を取り付けることができるものである。
【００４０】
また、請求項４に記載の発明によれば、支柱部の内部にコードを通すことが可能な中空が形成され、その支柱部には複数の配線穴が形成されているため、トレイ部にコピーディスペンサー等の画像形成装置とコードによって接合されているオプション製品を乗せる場合であっても、そのオプション製品のコードを配線穴から支柱部内部の中空を通し、また他の配線穴から画像形成装置へと伸ばすことが可能であるため、コードが画像形成装置を使用する際の作業の邪魔にならず、作業性を向上させることができるものである。
【図面の簡単な説明】
【図１】図１は、本実施例にかかる画像形成装置用棚の全体を示したものである。
【図２】図２は、本実施例にかかる画像形成装置用棚のトレイ部を示したものである。
【図３】図３は、本実施例にかかる画像形成装置用棚の支柱部と台座部とを示したものである。
【図４】図４は、支柱部の水平断面を示したものである。
【図５】図５は、支柱部の上面を示したものである。
【図６】図６は、本実施例にかかる画像形成装置用棚の固定部材を示したものである。
【図７】図７は、固定部材が複数の位置で画像形成装置と本実施例にかかる画像形成装置用棚とを固定している様子を示したものである。
【図８】図８は、支柱部の同一高さの位置の左右にトレイ部を取り付ける様子を示したものである。
【図９】図９は、支柱部の配線穴と中空を通してトレイ部に乗ったオプション製品のコードを取り回している様子を示したものである。
【符号の説明】
１…トレイ部、２…支柱部、２３、２４、２５…配線穴、３…台座部、４…固定部材、５…画像形成装置
【図１】
0003575233.tif 000002
【図２】
0003575233.tif 000003
【図３】
0003575233.tif 000004
【図４】
0003575233.tif 000005
【図５】
0003575233.tif 000006
【図６】
0003575233.tif 000007
【図７】
0003575233.tif 000008
【図８】
0003575233.tif 000009
【図９】
0003575233.tif 000010